(57)【要約】【課題】  容易な残ガスの抜き取り操作が可能な機構を簡単な構造で実現することを課題とする。【解決手段】  容器本体と、容器本体のステムに嵌合するノズルヘッドと、容器本体の上端部に嵌合装着する外装筒の上端に内鍔状の頂壁を介してノズルヘッドの下降上昇変位のガイドの機能を果たすガイド筒を垂下設したキャップ体を有するエアゾール容器において、キャップ体の後部で、外装筒の所定高さ位置を基端部として上方に延びる左右一対の縦スリットと該縦スリットの終端位置で横方向に形成される横スリット若しくは該終端位置からガイド筒の下端に至る壁欠部で３方を囲んで、外装筒壁の基端部位置から頂壁を経てガイド筒の上端部に至る範囲内の少なくとも頂壁に至る部分を舌片状の可動片とし、この可動片の先端部を押圧状に内側に変形させてノズルヘッドの後部部分に係合して、ステムが押し下げ状態に保持されるように構成する。【選択図】  図１
2008273534.tif 000002
【特許請求の範囲】
【請求項１】
容器本体(1)と、該容器本体(1)のステム(2)に嵌合し前方に噴出口(15)を有するノズルヘッド(11)と、前記容器本体(1)の上端部に嵌合装着する外装筒(22)の上端に内鍔状の頂壁(23)を介して、前記ノズルヘッド(11)が挿通して該ノズルヘッド(11)の下降上昇変位のガイドの機能を果たすガイド筒(31)を垂下し、前記外装筒(22)とガイド筒(31)の前記ノズルヘッド(11)の、前記噴出口(15)に対向する位置に噴出液が通過する欠部を形成したキャップ体(21)を有するエアゾール容器において、前記キャップ体(21)の後部で、外装筒(22)の所定高さ位置を基端部(25)として上方に延びる左右一対の縦スリット(38v)と、該縦スリット(38v)の終端位置で横方向に形成される横スリット若しくは該終端位置からガイド筒(31)の下端に至る壁欠部(31b)で３方を囲んで、前記外装筒(22)の壁の前記基端部(25)位置から前記頂壁(23)を経て前記ガイド筒(31)の上端部に至る範囲の少なくとも前記頂壁(23)に至る部分を舌片状の可動片(36)とし、該可動片(36)の先端部を内側に変形させて前記ノズルヘッド(11)の後部部分に係合して、ステム(2)が押し下げ状態に保持されるように構成したことを特徴とするエアゾール容器。
【請求項２】
ノズルヘッド(11)は、有頂筒状の外筒(14)を有し、該外筒(14)の頂部(12)から該外筒(14)内側にステム(2)に外嵌する円筒状の嵌合筒(13)を垂下設した構成とし、前記外筒(14)の後部で該外筒(14)の壁を貫通して係合孔(17)を形成し、該係合孔(17)に可動片(36)の先端部を係合する構成とした請求項１記載のエアゾール容器。
【請求項３】
外装筒(22)の壁の基端部(25)位置からガイド筒(31)の上端部に至る部分を可動片(36)とし、該可動片(36)の先端部をフック状に形成した請求項１または２記載のエアゾール容器。
【請求項４】
可動片(36)を連結小片により破断可能に隣接する外装筒(22)の壁、若しくは頂壁(23)に連結する構成とした請求項１、２または３記載のエアゾール容器。
【発明の詳細な説明】
【技術分野】
【０００１】
本発明は、残ガスの抜き取り操作を簡単にできるようにしたエアゾール容器に関する。
【背景技術】
【０００２】
たとえば特許文献１には、エアゾール容器本体の上端部にアンダーカット状に組付け固定したプロテクターリングを取り外した後に、カバーキャップを被せてノズルヘッドを押下げ位置に維持するようにして残ガスを抜き取るようにしたエアゾール容器に係る発明が記載されている。
【特許文献１】特開２００１−２１５４号公報
【発明の開示】
【発明が解決しようとする課題】
【０００３】
上記のエアゾール容器では、プロテクターリングの取り外しが容易でないこと、このためプロテクターリングに取り外しを容易にするための引き裂き帯や、剥ぎ取りリングを付設する必要があり構造が複雑になる、と云う問題がある。
【０００４】
そこで本発明の技術的な課題は、容易な残ガスの抜き取り操作が可能な機構を簡単な構造で実現すること、にある。
【課題を解決するための手段】
【０００５】
本発明の課題を解決するための本発明の構成は、
容器本体と、この容器本体のステムに嵌合し前向きの噴出口を有するノズルヘッドと、容器本体の上端部に嵌合装着する外装筒の上端に内鍔状の頂壁を介して、ノズルヘッドが挿通してこのノズルヘッドの下降上昇変位のガイドの機能を果たすガイド筒を垂下し、外装筒とガイド筒のノズルヘッドの噴出口に対向する位置に噴出液が通過する欠部を形成したキャップ体を有するエアゾール容器において、
キャップ体の後部で、外装筒の所定高さ位置を基端部として上方に延びる左右一対の縦スリットと該縦スリットの終端位置で横方向に形成される横スリット若しくは縦スリットの終端位置からガイド筒の下端に至る壁欠部で３方を囲んで、外装筒壁の基端部位置から頂壁を経てガイド筒の上端部に至る範囲内の少なくとも頂壁に至る部分を舌片状の可動片とすること、
この可動片の先端部を押圧状に内側に変形させてノズルヘッドの後部部分に係合して、ステムが押し下げ状態に保持されるように構成すること、
にある。
【０００６】
本発明の上記構成により、通常の使用ではノズルヘッドを指先で押圧状に、キャップ体のガイド筒に沿って押下げることにより、容器本体のステムが下降し、エアゾールバルブが開いて、内容液を噴出口から噴出させることができる。
【０００７】
使用後の、残ガスの抜き取り操作にあたっては、ノズルヘッドを押し下げた状態で可動片の先端部を指先で押圧状に内側に変形させてノズルヘッドの後部部分に係合する。そしてこの係合によりステムが下降変位した状態で固定され、残ガスの抜き取りができる。
【０００８】
本発明の構成では、外装筒の所定高さ位置を基端部として上方に延びる左右一対のこれら一対の縦スリットと、縦スリットの終端位置で横方向に形成される横スリット若しくは終端位置からガイド筒の下端に至る壁欠部で３方を囲んで、舌片状の可動片を形成しており、この可動片は基端部を支点として片持ち梁状に可動可能となる。
【０００９】
ここで、可動片の配設範囲は、可動片の変形性、ノズルヘッドとの係合性等を考慮して、外装筒壁の基端部位置から頂壁を経てガイド筒の上端部に至る範囲内で、所定の範囲を設定することができるが、少なくとも頂壁に至る部分を可動片とすることにより、外装筒壁から直角状に屈曲する頂壁部分を利用して可動片の先端に係合するための係合片を形成して、ノズルヘッド後部との係合を確実に達成することが可能となる。
【００１０】
ここで、可動片の上端部は一対の縦スリットと、横スリット若しくはガイド筒の下端に至る壁欠部で形成される構成であり、キャップ体の成形性、ガイド筒の剛性等を考慮して横スリットか壁欠部を選択することができるが、特にガイド筒の上端部までを可動片とする場合には射出成形での一体成形の点から壁欠部を選択するのが好ましい。
【００１１】
また本発明の別の構成は、ノズルヘッドは、有頂筒状の外筒を有し、この外筒頂部から内側にステムに外嵌する円筒状の嵌合筒を垂下設した構成とし、外筒の後部でこの外筒壁を貫通して係合孔を形成し、この係合孔に可動片の先端部を係合する構成としたものである。
【００１２】
上記構成は可動片の先端部を係合するための具体的な構成にかかるものであり、外筒壁に貫通形成された係合孔を利用して可動片の先端部を確実に係合することができる。
【００１３】
また本発明の別の構成は、外装筒壁の基端部位置からガイド筒の上端部に至る部分を可動片とし、可動片の先端部をフック状に形成することにある。
【００１４】
本発明のキャップ体は、外装筒の上端に内鍔状の頂壁を介してガイド筒を垂下する構成であるので、ガイド筒の上端部に至る部分を可動片とすることにより可動片の先端部をフック状に形成することができ、このフック状の先端部を上述した係合孔等に引っ掛けるようにしてより確実に、ノズルヘッドの後部に係合させることができる。
【００１５】
また本発明の別の構成は、可動片を連結小片により破断可能に隣接する外装筒壁、若しくは頂壁に連結する構成としたものである。
【００１６】
上記構成により、連結小片により、可動片を少々押圧しても変形しないので、通常の使用の際に誤って、可動片をノズルヘッドに係止してしまうと云うような誤操作を確実に防止することができる。
内容液を使い終わって、残ガスを抜き取る際には連結小片を破断して可動片を変形させてノズルヘッドの後部に係合する。
【発明の効果】
【００１７】
本発明は上記した構成となっているので、以下に示す効果を奏する。
すなわち、ノズルヘッドを押し下げた状態で可動片の先端部を指先で押圧状に内側に変形させてノズルヘッドの後部部分に係合することにより、可動片と云う簡単な構造で、残ガスの抜き取操作を容易に実行することができる。
【００１８】
外筒の後部でこの外筒壁を貫通して係合孔を形成し、この係合孔に可動片の先端部を係合する構成としたものにあっては、この外筒壁に貫通形成された係合孔を利用して可動片の先端部を確実に係合することができる。
【００１９】
ガイド筒の上端部に至る部分までを可動片としたものにあっては、可動片の先端部をフック状に形成することができ、このフック状の先端部を係合孔等に引っ掛けるようにしてより確実に、ノズルヘッドの後部に係合させることができる。
【００２０】
可動片を連結小片により破断可能に隣接する外装筒壁、若しくは頂壁に連結する構成としたものにあっては、通常の使用の際に誤って、可動片をノズルヘッドに係止してしまうと云うような誤操作を確実に防止することができる。
【発明を実施するための最良の形態】
【００２１】
以下、本発明の実施の形態を実施例に沿って、図面を参照しながら説明する。
図１〜図８は本発明のエアゾール容器一実施例を示すものであり、図１は斜視図、図２は縦断側面図、図３は縦断正面図、図４は背面図、図５は平面図である。
この容器は容器本体１と、ノズルヘッド１１とキャップ体２１の３つの部材から構成される。
【００２２】
容器本体１は、有底円筒状の胴部の上端部に環状リム３を有し、頂部中央にエアゾールバルブ（図示省略）に連結するステム２が起立配設されている。
【００２３】
ノズルヘッド１１は、有頂長円筒状の外筒１４を有し、外筒１４の頂部１２からこの外筒１４の内側にステム２に外嵌する円筒状の嵌合筒１３を垂下設している。また、このノズルヘッド１１の前部では、外筒１４の壁の一部を円錐台状に凹ませて、嵌合筒１３の壁と一体連設し、この一体連設部分に嵌合筒１３に連通する貫通横孔１３ａを形成し、噴出口１５といている。
【００２４】
また、頂部１２は、前部から後部にかけて下方に傾斜していると共に、前端部および左右端部から中央部にかけて凹むような形状として、指先によるノズルヘッド１１の押下げ操作をし易い形状としている。また、外筒１４の左右側面の下端部近傍には一対のガイド突片１６が突設されている。
【００２５】
また、外筒１４の後部上端部には壁を貫通して、後述する可動片３６の先端部が挿通して係合する係合孔１７が形成されている。
【００２６】
キャップ体２１は、容器本体１の上端部に嵌合装着する円筒状の外装筒２２を有し、この外装筒２２の上端から内鍔状の頂壁２３を介し、ノズルヘッド１１の外筒１４に緩やかに外嵌して、下降上昇変位のガイドの機能を果たす、長円筒状のガイド筒３１を垂下設している。
【００２７】
また、前部では、外装筒２２の壁とガイド筒３１のノズルヘッド１１の噴出口１５に対向する位置に噴出液が通過する円形の欠部２２ａ、３１ａを形成している。また、ガイド筒３１の左右側部の下端から上方に、ノズルヘッド１１のガイド突片１６が係合する一対のガイドスリット３２を形成している。
また、ガイド筒３１の内周面下端部、ガイドスリット３２の後方位置に、左右両側一対の係止突片３３が突設されている。この係止突片３３はノズルヘッド１１の外筒１４の下端面に係合して、一端ガイド筒３１内に挿通したノズルヘッド１１の抜け落ちがないようにしている。
【００２８】
また、本実施例ではキャップ体２１の後部で、頂壁２３を下方に凹ませるようにして凹部２４を形成し、この凹部２４を利用して、エアゾール容器の後方から指をノズルヘッド１１の頂部１２に当てて押下げ操作が容易にできるようにしている。
【００２９】
また、この凹部２４が形成されたキャップ体２１の後部には、外装筒２２の所定高さ位置を基端部２５として、この基端部２５から頂壁２３を経て、ガイド筒３１の上端部に至る範囲に、基端部２５を支点とした舌片状の可動片３６を配設している。
【００３０】
この可動片３６は、基端部２５から上方に延びる左右一対の縦スリット３８ｖと、ガイド筒３１の上端部から下端に至る部分の周壁を欠部とした壁欠部３１ｂにより３方を囲んで、キャップ体２１を射出成形で一体成形を容易にできるように形成されている。
【００３１】
このように、頂壁２３を経てガイド筒３１の上端部に至る範囲を可動片３６とすることにより、可動片３６の先端部をフック状の形状にすることができる。
また、本実施例では外装筒２２の上端で、可動片３６の両側部分を連結小片３７で隣接する外装筒２２の壁に一体連設する構成とし（図４中の拡大図参照）、可動片３６に指先で大きな力を作用させてこの連結小片３７を破断しないと、可動片３６を内方に押込めないようにしている。
【００３２】
次に、上記説明した容器本体１とノズルヘッド１１とキャップ体２１の一般的な組み立ては、まず、ガイド突片１６をガイドスリット３２に位置合わせた状態で、ノズルヘッド１１をガイド筒３１の下方から、挿通する。
一端挿通すると、ノズルヘッド１１は係止突片３３の係止機能により簡単に抜け落ちることなく、ガイド筒３１内に保持される。
【００３３】
そして、このようにノズルヘッド１１をガイド筒３１内に挿通した状態で、キャップ体２１をノズルヘッド１１と共に、容器本体１の上端部に装着する。この装着状態では、ノズルヘッド１１の嵌合筒１３が段部１３ｂを利用して押下げ可能にステム２に外嵌し、外装筒２２の下端部が容器本体１の環状リム３に係止状に嵌着する。（図２、図３参照）
【００３４】
そして、図２、図３に示すような組み立て状態で、指先でノズルヘッド１１の頂部１２を押し下げると、ステム２が下降して（図６参照）エアゾールバルブが開き、ステム２、嵌合筒１３、貫通横孔１３ａを経て噴出口１５から内容液が噴出する。この押下げ操作は、ガイド突片１６のガイドスリット３２への係止によりスムーズに達成することができる。
【００３５】
そして、内容液を使い終わって残ガスの抜き取り操作をする際には、ノズルヘッド１１を指先で押し下げた状態で、フック状の先端部が係合孔１７を挿通するように、可動片３６の上端部を、連結小片３７を破断しながら内方に押込む（図７中の白抜き矢印参照）。そして、ノズルヘッド１１の指先による押し下げ力を解除すると、ステム２に作用する上方付勢力により、ノズルヘッド１１が少し上方変位し、可動片３６のフック状の先端部が係合孔１７に係合する（図８参照）。そしてこの係合によりステム２が下降変位した状態で固定され、残ガスの抜き取りができる。
可動片３６のフック状の先端部が引っ掛かるようにして係合孔１７に係合するので、この係合状態を安定して、確実に保持することができる。
【００３６】
なお、上記説明では、ノズルヘッド１１とキャップ体２１を容器本体１に装着した状態で可動片３６を係合孔１７に係合する手順を説明したが、キャップ体２１と共にノズルヘッド１１を容器本体１から取り外した状態で可動片３６を係合孔１７に係合し、容器本体１に再装着することもできる。
【００３７】
以上、本発明の実施の形態を実施例に沿って説明したが、本発明の実施の態様はこれら実施例に限定されるものではない。
たとえば、上記実施例ではガイド筒３１の上端部を含めて、可動片３６とするようにしたが、頂壁２３までの部分を可動片３６としても、外装筒２２から直角状に屈曲する頂壁２３部分を利用して係合機能を発揮させることができる。
また、使用態様を考慮して連結小片を省略することもできる。
【００３８】
また、ノズルヘッド１１とキャップ２１の形状はさまざまな形態のものを使用することができ、上記実施例ではキャップ体２１において噴出液の通過のための円形の欠部２２ａ、３１ａを形成しているが、前部において頂壁２３を下方に凹ませるようにして凹部を形成して欠部とすることもできる
【産業上の利用可能性】
【００３９】
以上説明したように、本発明のエアゾール容器は簡単な構造で残ガスの抜き取り操作を容易にできるようにしたものであり幅広い用途への展開が期待される。
【図面の簡単な説明】
【００４０】
【図１】（ａ）は本発明のエアゾール容器の一実施例の斜視図、（ｂ１）、（ｂ２）それぞれキャップ体の斜め前方からと斜め後方からの斜視図、（ｃ）はノズルヘッドの斜視図である。
【図２】図１の容器の縦断側面図である。
【図３】図１の容器の縦断正面図である。
【図４】図１の容器の背面図である。
【図５】図１の容器の平面図である。
【図６】図１の容器で、ノズルヘッドを押下げた状態を示す縦断側面図である。
【図７】図１の容器で、可動片の先端部の係合過程を示す縦断側面図である。
【図８】図１の容器で、可動片の先端部の係合状態を示す縦断側面図である。
【符号の説明】
【００４１】
１  ；容器本体
２  ；ステム
３  ；環状リム
１１；ノズルヘッド
１２；頂部
１３；嵌合筒
１３ａ；貫通横孔
１３ｂ；段部
１４；外筒
１５；噴出口
１６；ガイド突片
１７；係合孔
２１；キャップ体
２２；外装筒
２２ａ；欠部
２３；頂壁
２４；凹部
２５；基端部
３１；ガイド筒
３１ａ；欠部
３１ｂ；壁欠部
３２；ガイドスリット
３３；係止突片
３６；可動片
３７；連結小片
３８ｖ；縦スリット
【図１】
2008273534.tif 000003
【図２】
2008273534.tif 000004
【図３】
2008273534.tif 000005
【図４】
2008273534.tif 000006
【図５】
2008273534.tif 000007
【図６】
2008273534.tif 000008
【図７】
2008273534.tif 000009
【図８】
2008273534.tif 000010